(57)【要約】      （修正有）【課題】背もたれをネット等の可撓性シート材で構成した椅子において、楽な状態で上下動操作できるランバーサポートを提供する。【解決手段】背もたれ４は、バックフレームとこれに被せた袋状のバックシート１４とを備えている。バックシート１４の内部にランバーサポート１５とその支持体１６とが配置されている。支持体１６はバックフレームのサイドメンバー１３ａに固定されている。ランバーサポート１５は支持体１６に上下動自在に取り付けられており、操作部１５ａはバックシート１４に形成した切欠き１７から外側に露出し、サイドメンバー１３ａの前又は後ろに延びている。ランバーサポート１５を高さ調節するに際して人は両手を背もたれ４の裏側に回し込む必要がないため、ランバーサポート１５の高さ調節を楽に行える。【選択図】図２
2006149971.tif 000002
【特許請求の範囲】
【請求項１】
背もたれを、上下長手の左右サイドメンバーとその上端間に繋がったアッパーメンバーとを有するバックフレームと、このバックフレームに張った可撓性のバックシートとからなる基本構成とし、前記バックシートのうち人の身体が当たる部分の裏側に、人の身体を前向きに押すランバーサポートが高さ調節自在に配置されている椅子であって、
前記ランバーサポートに、正面視で少なくともバックフレームにおけるサイドメンバーと重なる部分まで延びる操作部を形成する一方、バックシートには、前記ランバーサポートの操作部を露出させる切欠きを形成している、
椅子。
【請求項２】
前記バックシートは下向きに開口した袋状に形成されていてバックフレームに上方から被さっており、バックシートの前面部で着座した人の身体が支持されるようになっている一方、前記ランバーサポートはバックシートの前面部と裏面部との間の空間に配置されており、バックシートの前面部及び裏面部の左右下部に前記切欠きを形成し、この切欠きから露出させた前記ランバーサポートの操作部をバックフレームにおけるサイドメンバーの手前側に配置している、
請求項１に記載した椅子。
【発明の詳細な説明】
【技術分野】
【０００１】
本願発明は、背もたれに特徴を有する椅子に関するものである。
【背景技術】
【０００２】
椅子において、背もたれ又は座若しくは両方をフレームにネット製シート体が張られた構造にしたものがある。この椅子は一般にネット椅子と言われており、通気性やクッション性に優れている利点がある。
【０００３】
また、背もたれをネット構造にした椅子において、着座した人の腰や背を部分的に強く押すためのランバーサポートを設けることが行われている。その一例として特許文献１では、バックフレームにランバーサポートを上下動自在に取り付けて、ランバーサポートに操作部を設けることが記載されている。
【特許文献１】特開２００４−４９６５７号公報
【発明の開示】
【発明が解決しようとする課題】
【０００４】
特許文献１のものは、ランバーサポートの操作部がバックシートの裏側に完全に隠れており、このため、着座した人がランバーサポートの高さを調節するに際しては両手を背もたれの裏側に回さねばならず、このためランバーサポートの高さ調節の操作がしにくいという問題があった。
【０００５】
また、バックシートを袋状に形成してこれをバックフレームに被せることが行われており、このように構成するとバックシートの取り付けを簡単に行える利点があるが、この場合はランバーサポートはバックシートの前面部と裏面部との間の空間に配置されることになるため、特許文献１の構成は適用できないという不便もあった。
【０００６】
本願発明は、このような現状を改善することを課題とするものである。
【課題を解決するための手段】
【０００７】
請求項１の発明は、背もたれを、上下長手の左右サイドメンバーとその上端間に繋がったアッパーメンバーとを有するバックフレームと、このバックフレームに張った可撓性のバックシートとからなる基本構成とし、前記バックシートのうち人の身体が当たる部分の裏側に、人の身体を前向きに押すランバーサポートが高さ調節自在に配置されている椅子において、前記ランバーサポートに、正面視で少なくともバックフレームにおけるサイドメンバーと重なる部分まで延びる操作部を形成する一方、バックシートには、前記ランバーサポートの操作部を露出させる切欠きを形成している点を特徴にしている。
【０００８】
請求項２の発明は、請求項１において、前記バックシートは下向きに開口した袋状に形成されていてバックフレームに上方から被さっており、バックシートの前面部で着座した人の身体が支持されるようになっている一方、前記ランバーサポートはバックシートの前面部と裏面部との間の空間に配置されており、バックシートの前面部及び裏面部の左右下部に前記切欠きを形成し、この切欠きから露出させた前記ランバーサポートの操作部をバックフレームにおけるサイドメンバーの手前側に配置している。
【発明の効果】
【０００９】
本願発明によると、ランバーサポートの操作部はバックフレームのサイドメンバーの部分まで延びているため、ランバーサポートを高さ調節するに際して人はランバーサポートの操作部を自然な状態で手を当てることができ、このため、ランバーサポートの高さ調節を楽に行うことができる。また、請求項２のようにバックシートを袋状に形成している場合にも適用することができる。
【００１０】
請求項１においてランバーサポートの操作部の高さ位置は限定されないが、背２のように下部に設けると、人は殆ど腕を曲げなくてもランバーサポートの操作部を持つことができるため、より好適である。また、ランバーサポートの操作部がバックフレームのサイドメンバーの手前に位置しているため、ランバーサポートの操作部に後ろ向きの外力が作用してもバックフレームのサイドメンバーで支持されて、破損や変形を防止できるという利点もある。
【発明を実施するための最良の形態】
【００１１】
次に、本願発明の実施形態を図面に基づいて説明する。
【００１２】
(1).第１実施形態の概要
図１〜図９では第１実施形態を示している。図１は椅子の全体斜視図、図２（Ａ）は正面図、図２（Ｂ）は部分的な背面図、図３は左側面図である。これらの図面から理解できるように、本実施形態は事務用等の回転椅子に適用しており（勿論、パイプ椅子等の非回転式椅子や講堂用椅子のような固定式椅子にも適用できる）、椅子は、キャスター及びガスシリンダ式脚柱を備えた脚１と、脚柱の上端に固定した支持ベース２と、座３と背もたれ４とを備えている。
【００１３】
支持ベース２は上向きに開口した箱状の形態であり、その前部には中間支持体５が左右長手の第１軸６によって傾動自在に取付け（連結）されており、座体３はこの中間支持体５に前後位置調節可能に装着されている。また、支持ベース２の前後略中間部には背受け部材７が左右長手の第２軸８によって後傾動自在に連結されており、背受け部材７の前後中途部と中間支持体５とは左右長手の第３軸９によって相対傾動自在に連結されている。
【００１４】
詳細は省略するが、第１軸６は支持ベース２に対して前後動可能に挿通されており、かつ、第１軸６は支持ベース２の内部に配置したばね（図示せず）によって後方から支持されている。このため、座体３は背もたれ４の後傾動に連動して（シンクロして）後傾しつつ後退動する。
【００１５】
背受け部材７と支持ベース２とはガスシリンダ１０で連結されており、ガスシリンダ１０をロック状態とフリー状態とに切り換え操作することにより、背もたれ４は、背受け部材７の外面側に配置したレバー１１の回動操作により、自在に後傾動するフリー状態と任意の姿勢で後傾不能に保持されたロック状態とに切り換えることができる。図示していないが、ガスシリンダの前端部は支持ベースの後端部に突設したブラケットにピンで回動可能に取付けられている。
【００１６】
図２（Ｂ）及び図３に示すように、背受け部材７の左右後部に後方及び下方に開口した凹部（或いは段部）２４を形成して、この凹所２４にレバー１１を配置している。このように構成すると、レバー１１がバックフレーム１３の外側にはみ出ることを防止できるため、体裁が良いと共に例えば人の衣服がレバー１１に引っ掛かるといったことも防止でき、更に、ランバーサポート１５の操作部１５ａとの干渉を回避できる利点がある。
【００１７】
背もたれ４は、サイドメンバー１３ａ及びその上端に繋がったアッパーメンバー１３ｂとから成るバックフレーム１３と、このバックフレーム１３に被さった袋状のバックバックシート１４を備えている。バックフレーム１３は背もたれ４の外形を構成するもので、バックフレーム１３で囲われた部分は前後に開口して空間になっている（例えば左右のサイドメンバー１３ａを上下途中高さ位置で連結する中間メンバーを備えていても良い）。
【００１８】
バックシート１４は、着座者の背中が当たる表面部１４ａとその裏側に位置した裏面部１４ｂとを備えており、両者の間には空間が空いている。そして、表面部１４ａと裏面部１４ｂとの間の空間に、主として着座者の腰椎を支持するランバーサポート１５が上下動自在に配置されている。
【００１９】
詳細は後述するが、ランバーサポート１５はその裏側に配置した薄板状の支持体１６に上下動自在に取り付けられている。支持体１６は、左右端部を二股状に形成してその先端をバックフレーム１３のサイドメンバー１３ａにビス止め等の手段で固定している。支持体１６は合成樹脂板のように前後方向に撓み変形可能な柔構造になっており、このため、支持体１６も背もたれ４のクッション性を担っている。
【００２０】
そして、ランバーサポート１５はバックシート１４の外側に露出する操作部（アーム部）１５ａを備えており、バックシート１４の左右側部下部（下コーナー部）には、ランバーサポート１５の操作部１５ａを露出させるための切欠き１７が形成されている。
【００２１】
なお、バックフレーム１３のアッパーメンバー１３ｂはサイドメンバー１３ａとは別部材に構成しているが、サイドメンバー１３ａとアッパーメンバー１３ｂとを単一部材とすることも可能である。
【００２２】
(2).背もたれの詳細
次に、背もたれの詳細を図４以下の図面も参照して説明する。図４はバックシートを省略した状態での正面図、図５は分離正面図、図６は背受け部材７の斜視図、図７のうち（Ａ）はバックシート１４の取り付け状態を示す側断面図、（Ｂ）はバックシート１４の取り付け手順を示す図、図８のうち（Ａ）は図２のVIIIA-VIIIA 視断面図、（Ｂ）は図２のVIIIB-VIIIB 視断面図、図９のうち（Ａ）はランバーサポート１５とその支持体１６との分離斜視図、（Ｂ）はランバーサポート１５を支持体１６に取り付けた状態の斜視図、（Ｃ）は（Ｂ）のＣ−Ｃ視断面図である。
【００２３】
図６から容易に理解できるように、背受け部材７は、左右の前向きアーム７ａを備えており、このアーム７ａの上面にブリッジ状ブラケット２２ねじ止めで固定している。背受け部材７はその左右アーム７ａの先端が第２軸８によって支持ベース２に連結されており、ブリッジ状ブラケット２２に取り付けた軸受け部材（図示せず）に第３軸９が保持されている。第３軸９は背受け部材７に直接に連結することも可能である。
【００２４】
背受け部材７はアルミダイキャストのような金属の一体成形品であり、その後部は平坦部７ｂとなっており、平坦部７ｂの後端にはその上下にはみ出た後ろ壁部７ｃが左右略全長にわたって延びるように形成されている。平坦部７ｃの上面のうち後ろ壁部７ｃの手前側には左右に分離した土手部７ｄが上向きに突設されており、土手部７ｄと後ろ壁部７ｃとの間が、バックシート１５の下端を固定するための縁部材固定部７ｅになっている。
【００２５】
背受け部材７の左右両端部後部には、バックフレーム１３のサイドメンバー１３ａを取付けるための起立部７ｆを設けている。起立部７ｆはバックフレーム１３のサイドメンバー１３ａと同じ平面形状であり、サイドメンバー１３ａは連結軸２３を介して起立部７ｆに固定されている。バックフレーム１３のサイドメンバー１３ａは断面楕円形の中空パイプを素材として製造しており、その下端の内部には、連結軸２３を嵌めるための中子体（図示せず）が固着されている。
【００２６】
詳細は省略するが、背受け部材７は下向きに開口しており、その内部に、ガスシリンダ１０を取付けるための金具２５や、ガスシリンダ１０を操作するための操作軸、操作軸を保持する軸受け部材等を配置している。
【００２７】
背受け部材７の起立部７ｆとバックフレーム１３のサイドメンバー１３ａとはビスによって連結軸２３に抜け不能に保持されている。バックフレーム１３のアッパーメンバー１３ｂとサイドメンバー１３ａとは、両者に貫通した中子体（図示せず）を介して連結されている。なお、バックフレーム１３を背受け部材７と一体構造とすることも可能である。逆に、背受け部材７を複数のパーツで構成することも可能であり、更に、背受け部材７は板金製や樹脂製とすることも可能である。
【００２８】
バックシート１４は適度の空隙を有する織地又は編地を素材として製造されており、表面部１４ａと裏面部１４ｂとの左右側部は縫着や融着によって一体に繋がっている。そして、図６や図７に示するように、表面部１４ａの下端縁と裏面部１４ｂの下端縁とは、それぞれ樹脂板又は金属板から成る平面視弓形（緩い曲率の三日月状）の縁部材２０，２１に縫い付け（溶着や接着でも良い）によって離脱不能に固定されている。
【００２９】
縁部材２０，２１は背受け部材７における縁部材固定部７ｅに殆どずれない状態に嵌まる寸法に設定されている。なお、縁部材２０，２１の左右中間部には後ろ向きに開口した切欠開き部３０が形成されているが、これは、ガスシリンダ１０のプッシュバルブ（図示せず）を操作する押圧板（図示せず）との干渉を回避するために形成している。
【００３０】
図７（Ａ）に示すように、本実施形態では、裏面部１４ａに固着した縁部材２０に複数本（４本）のボルト（ねじ軸）３１を左右適宜間隔で下向き突設する一方、表面部１４ａの下端に固着した縁部材２０にはボルト３１が貫通する通穴３２を形成しており、両縁部材２０，２１を重ねた状態でボルト３１を背受け部材７に設けた取付け穴３３に上方から貫通して、ボルト３１にナット３４をねじ込むことにより、両縁部材２０，２１を背受け部材７に共締めしている。勿論、バックシート１４は他の方法で背受け部材７に固定してもよい。
【００３１】
バックシート１４を取付けるに際しては、まず、図７（Ｂ）に示すように両縁部材２０，２１を分離した状態でバックフレーム１３に被せ、次いで、適当な高さ位置で両縁部材２０，２１を重ね併せ、それから、縁部材２０，２１をずり下げて各ボルト３１を取付け穴３３に挿通し、それからボルト３１にナット３４をねじ込んだら良い。
【００３２】
ランバーサポート１５は合成樹脂製であり例えば図８及び図９から理解できるように、ランバーサポート１５のうち着座した人の身体に当たる支持部は正面視で楕円形でかつ平面視では前向き凹状に湾曲しており、支持部の下部に左右に延びる操作用アーム１５ｂを一体に形成し、操作用アーム１５ｂの先端を操作部１５ａとしてバックシート１４の切欠き１７から露出させている。
【００３３】
また、ランバーサポート１５を上下動自在に支持する手段として、支持体１６に上下長手のガイド溝３６とその下方に位置した前向き突起３７とを形成する一方、ランバーサポート１５の裏面に、ガイド溝３６に嵌合する頭３８ａ付きピン部３８と、支持体１６の前向き突起３７を左右ずれ不能に挟み保持するする左右一対のガイドレール部３９を形成している。
【００３４】
ピン部３８は上下に２本あってガイド溝３６に嵌まる太さであり、頭３８ａはガイド溝３６の溝幅よりも大きい外径である。頭３８ａの嵌め入れを許容するため、支持体１６には、ガイド溝３６の下端と連通した円形の穴４０を開けている。
【００３５】
また、ランバーサポート１５のうちピン部３８を挟んだ左右両側に側面視後ろ向き山形の弾性爪４１を形成する一方、支持体１６には弾性爪４１の先端が当たる凹凸部４２を形成している。弾性爪４１の左右両側はスリット４３で分断されており、このため弾性に抗して前後方向に移動し得る。このため、ランバーサポート１５を軽い力で段階的に高さ調節することができる。
【００３６】
ランバーサポート１５の操作部１５ａはバックフレーム１３のサイドメンバー１３ａの外側にはみ出しており、このはみ出し部分を後ろ向き凸の碗状に形成している。これは、操作部１５ａにある程度のボリュームを持たせて人が掴みやすくするため、及び、碗状の部分をサイドメンバー１３ａの外側面に当てることによって上下動をガイドさせるためである。操作部１５ａはサイドメンバー１３ａからはみ出ない構成とすることも可能であり、この場合は、操作部１５ａはフラットのままでも良いし、前向き凸の碗状に形成してもよい。
【００３７】
(4).第２実施形態及び変形例（図10〜図12）
図１０では第２実施形態を示しており、背もたれ４の全体の正面図である。この実施形態でもバックシート１４は袋状に形成されており、バックシート１４の中空部内に、合成樹脂のような弾性変形する中間板４５とランバーサポート１５とが配置されている。中間板４５は容易に撓み変形するように多数のスリット４６が形成されており、左右端部でかつ下部が、バックフレーム１３のサイドメンバー１３ａにブラケット４７を介して固定されている。中間板４５の左右側部は殆ど撓み変形しない剛体構造になっている。
【００３８】
ランバーサポート１５は第１実施形態とは異なって殆ど撓み変形しない剛構造になっており、中間板４５の裏側に配置している。ランバーサポート１５を上下動自在に配置する手段としては、左右のスリット４６の群の間の部位に、ランバーサポート１５及び中間板４５に、第１実施形態と同様のガイド手段や、上下長手のレールからなるガイド手段４８を設けるなどしたらよい。
【００３９】
図１１及び図１２では、ランバーサポート１５の上下動ガイド手段の変形例を示している。図１１は背もたれ４の部分的な正面図、図１２は図１１のXII-XII 視断面図である。この変形例では、中間板４５の左右側部でかつ下部の裏面に、上下方向に延びる左右一対ずつのガイドレール４９を形成する一方、ランバーサポート１５の操作アーム１５ｂに、前記ガイドレール４９の間に嵌まる凸条５０を形成している。いずれにしても、第１実施形態における弾性爪４１と凹凸部４２との組合わせのように、ランバーサポート１５の高さを段階的又は無段階的に保持する係合手段（高さ保持手段）を設けるのが好ましい。
【００４０】
(5).他の実施形態（図13〜図14）
図１３に示すのは、ランバーサポート１５の上下動ガイド手段の別例である第３実施形態であり、この第３実施形態では、バックフレーム１３のサイドメンバー１３ａに上下長手のガイド部材５１をビス止め等によって固定し、ガイド部材５１に上下長手のガイド溝５２を形成する一方、ランバーサポート１５の操作アーム１５ｂに、ガイド溝５１に摺動自在に嵌まる凸条５０を設けている。
【００４１】
上記の各実施形態はランバーサポート１５の操作部１５ａをバックフレーム１３におけるサイドメンバー１３ａの手前側に配置していたが、操作部１５をサイドメンバー１３ａの裏側に配置してもよい。その例を第４実施形態として図１４で示している。このうち（Ａ）では操作部１５ａを単にサイドメンバー１３ａの裏側に配置しただけであり、（Ｂ）では、サイドメンバー１３ａに設けたガイド部材５３によってランバーサポート１５の上下動をガイドしている。（Ｃ）は（Ｂ）はＣ−Ｃ視断面図である。このようにガイド部材５３を設けると、操作部１５ａに後ろ向きの外力が作用しても破損や変形を防止できる利点がある。
【００４２】
(6).その他
本願発明は上記の実施形態の他にも様々に具体化できる。バックシートの素材は必ずしもネットには限らず、強度等の条件が許せば布や樹脂シートを使用することも可能である。バックシートは袋状に形成する必要はなく、シングルタイプでも良い。
【図面の簡単な説明】
【００４３】
【図１】第１実施形態に係る椅子の斜視図である。
【図２】（Ａ）は椅子の正面図、（Ｂ）は部分的な背面図である。
【図３】椅子の側面図である。
【図４】バックシートを省略した状態での正面図である。
【図５】分離正面図である。
【図６】背受け部材の斜視図である。
【図７】（Ａ）はバックシートの取り付け状態を示す側断面図、（Ｂ）はバックシートの取り付け手順を示す図である。
【図８】（Ａ）は図２のVIIIA-VIIIA 視断面図、（Ｂ）は図２のVIIIB-VIIIB 視断面図である。
【図９】（Ａ）はランバーサポートとその支持体との分離斜視図、（Ｂ）はランバーサポートを支持体に取り付けた状態の斜視図、（Ｃ）は（Ｂ）のＣ−Ｃ視断面図である。
【図１０】第２実施形態の正面図である。
【図１１】第２実施形態の変形例の正面図である。
【図１２】図１１ののXII-XII 視断面図である。
【図１３】第３実施形態を示す図である。
【図１４】第４実施形態を示す図である。
【符号の説明】
【００４４】
２  支持ベース
３  座体
４  背もたれ
７  背受け部材
１３  バックフレーム
１３ａ  サイドメンバー
１３ｂ  アッパーメンバー
１４  バックシート
１４ａ  表面部
１４ｂ  裏面部
１５  ランバーサポート
１５ａ  操作部
１６  ランバーサポートの支持体
【図１】
2006149971.tif 000003
【図２】
2006149971.tif 000004
【図３】
2006149971.tif 000005
【図４】
2006149971.tif 000006
【図５】
2006149971.tif 000007
【図６】
2006149971.tif 000008
【図７】
2006149971.tif 000009
【図８】
2006149971.tif 000010
【図９】
2006149971.tif 000011
【図１０】
2006149971.tif 000012
【図１１】
2006149971.tif 000013
【図１２】
2006149971.tif 000014
【図１３】
2006149971.tif 000015
【図１４】
2006149971.tif 000016